(57)【要約】【課題】商用電力系統が停電したとき、コージェネレーション装置の出力する電力が商用電力系統に流れ込む逆潮流を防止すると共に、必要な負荷に対しては電力の供給を継続するようにしたコージェネレーション装置を提供する。【解決手段】商用電力系統１２から複数個の電気負荷１４ａ〜１４ｆに至る交流電力の給電路１６に接続される発電機３２と、給電路に配置される第１のスイッチ２４と、給電路に第１のスイッチよりも下流側に配置される第２のスイッチ２６ｂ〜２６ｄとを備えると共に、商用電力系統の停電が検出されたとき、第１のスイッチをオフさせて発電機から商用電力系統への電力供給を遮断すると共に、第２のスイッチをオフさせて発電機から複数個の電気負荷の中の通常負荷１４ａ〜１４ｃへの電力供給を遮断する一方、発電機の出力を複数個の電気負荷の中の必要負荷１４ｄ〜１４ｆに供給する。【選択図】図１
2008206266.tif 000002
【特許請求の範囲】
【請求項１】
商用電力系統から複数個の電気負荷に至る交流電力の給電路に接続される発電機と前記発電機を駆動する内燃機関とを備えると共に、前記内燃機関の排熱を熱負荷に供給するコージェネレーション装置において、
ａ．前記給電路に配置される第１のスイッチ、
ｂ．前記給電路に前記第１のスイッチよりも下流側の位置に配置される第２のスイッチ、
ｃ．前記商用電力系統の停電が検出されたとき、前記第１のスイッチをオフさせて前記発電機から前記商用電力系統への電力供給を遮断する電力供給遮断手段、
および
ｄ．前記発電機から前記商用電力系統への電力供給が遮断された後、前記第２のスイッチをオフさせて前記発電機から前記複数個の電気負荷の中の少なくとも１個の電気負荷への電力供給を遮断する一方、前記発電機の出力を前記複数個の電気負荷の中の残余の電気負荷に供給する電力供給手段、
を備えたことを特徴とするコージェネレーション装置。
【請求項２】
前記残余の電気負荷が、前記発電機の最大出力以下に設定されることを特徴とする請求項１記載のコージェネレーション装置。
【発明の詳細な説明】
【技術分野】
【０００１】
この発明はコージェネレーション装置に関し、より具体的には商用電力系統が停電した場合にも必要な負荷に電力を供給するようにしたコージェネレーション装置に関する。
【背景技術】
【０００２】
近年、商用電力系統から電気負荷に至る交流電力の給電路に内燃機関で駆動される発電機を接続し、商用電力系統と連系させて電気負荷に電力を供給すると共に、内燃機関の排熱を利用して生成した温水などを熱負荷に供給するようにした、いわゆるコージェネレーション装置が提案されており、その例として例えば、特許文献１記載の技術を挙げることができる。
【特許文献１】特開平５−３２８６１５号公報
【０００３】
特許文献１記載の技術においては、自家用エンジン発電設備が自家発側負荷に接続されると共に、他の３個の負荷が商用電源設備（商用電力系統）と自家用エンジン発電設備に切り替え自在に接続される。自家発側負荷の運転負荷量が所定値以上の場合、他の３個の負荷は商用側電源設備に接続される一方、運転負荷量が所定値から低下するにつれて他の３個の負荷は順次自家用エンジン発電設備に接続されるように構成される。
【発明の開示】
【発明が解決しようとする課題】
【０００４】
ところで、この種のコージェネレーション装置において、商用電力系統が停電したときは、通例、コージェネレーション装置を停止させ、コージェネレーション装置の出力する電力が商用電力系統に流れ込む逆潮流を防止しているが、その場合にも必要な電気負荷に対しては電力の供給を継続することが望ましい。しかしながら、上記した特許文献１記載の技術は停電時の負荷の選択について対策するものではなかった。
【０００５】
従って、この発明の目的は上記した課題を解決し、商用電力系統が停電したとき、コージェネレーション装置の出力する電力が商用電力系統に流れ込む逆潮流を防止すると共に、必要な負荷に対しては電力の供給を継続するようにしたコージェネレーション装置を提供することにある。
【課題を解決するための手段】
【０００６】
上記した課題を解決するために、請求項１にあっては、商用電力系統から複数個の電気負荷に至る交流電力の給電路に接続される発電機と前記発電機を駆動する内燃機関とを備えると共に、前記内燃機関の排熱を熱負荷に供給するコージェネレーション装置において、前記給電路に配置される第１のスイッチ、前記給電路に前記第１のスイッチよりも下流側の位置に配置される第２のスイッチ、前記商用電力系統の停電が検出されたとき、前記第１のスイッチをオフさせて前記発電機から前記商用電力系統への電力供給を遮断する電力供給遮断手段、および前記発電機から前記商用電力系統への電力供給が遮断された後、前記第２のスイッチをオフさせて前記発電機から前記複数個の電気負荷の中の少なくとも１個の電気負荷への電力供給を遮断する一方、前記発電機の出力を前記複数個の電気負荷の中の残余の電気負荷に供給する電力供給手段を備えるように構成した。
【０００７】
請求項２にあっては、前記残余の電気負荷が、前記発電機の最大出力以下に設定されるように構成した。
【発明の効果】
【０００８】
請求項１に係るコージェネレーション装置にあっては、商用電力系統から複数個の電気負荷に至る交流電力の給電路に接続される発電機を備えると共に、その給電路に配置される第１のスイッチを備え、商用電力系統の停電が検出されたとき、第１のスイッチをオフさせて発電機から商用電力系統への電力供給を遮断するように構成したので、商用電力系統が停電したとき、コージェネレーション装置の出力する電力が商用電力系統に流れ込む逆潮流を確実に防止することができる。
【０００９】
また、給電路に前記第１のスイッチよりも下流側の位置に配置される第２のスイッチを備えると共に、発電機から商用電力系統への電力供給が遮断された後、第２のスイッチをオフさせて発電機から複数個の電気負荷の中の少なくとも１個の電気負荷への電力供給を遮断する一方、発電機の出力を複数個の電気負荷の中の残余の電気負荷に供給するように構成したので、前記した必要な負荷を残余の電気負荷として予め選択しておくことで、停電時であっても必要な負荷を含む残余の電気負荷に対して電力の供給を継続することができる。
【００１０】
請求項２に係るコージェネレーション装置にあっては、残余の電気負荷が、発電機の最大出力以下に設定されるように構成したので、上記した効果に加え、停電時において、必要な負荷を含む残余の電気負荷に対してより確実に電力の供給を継続することができる。
【発明を実施するための最良の形態】
【００１１】
以下、添付図面に即してこの発明に係るコージェネレーション装置を実施するための最良の形態について説明する。
【実施例】
【００１２】
図１は、この発明の実施例に係るコージェネレーション装置を全体的に示すブロック図である。
【００１３】
図示の如く、コージェネレーション装置（符号１０で示す）は、商用電力系統（系統電源）１２から電気負荷１４に至る交流電力の給電路（電力線。第１の給電路）１６に、接続点１８を介して接続される発電装置２０を備える。商用電力系統１２は、単相３線からＡＣ１００／２００Ｖで５０Ｈｚ（または６０Ｈｚ）の交流電力を出力する。
【００１４】
発電装置２０は後述する如く比較的小出力であり、個人住宅などを使用対象とする。電気負荷１４は複数個、具体的には６個の交流電気機器１４ａ，１４ｂ，１４ｃ，１４ｄ，１４ｅ，１４ｆからなる。６個の電気負荷１４の内、図１において上段に図示される３個の電気負荷１４ａ〜１４ｃは、常に使用する必要がない電気機器からなり、例えば１４ａが洗濯機、１４ｂがエアコンディショナ、１４ｃが電子レンジである。
【００１５】
一方、残余の電気負荷１４ｄ〜１４ｆは、常時使用する必要がある（あるいは、停電時にも使用が予測される）電気機器からなり、例えば１４ｄが照明器具、１４ｅが冷蔵庫、１４ｆがテレビである。尚、以下の説明では、電気負荷を特に区別する場合、電気負荷１４ａ〜１４ｃを「通常負荷」、電気負荷１４ｄ〜１４ｆを「必要負荷」という。
【００１６】
電気負荷１４を動作させたときのそれぞれ消費電力は、通常負荷は例えば１４ａが０．５ｋＷ、１４ｂが０．８ｋＷ、１４ｃが１．０ｋＷの計２．３ｋＷとすると共に、必要負荷は１４ｄが０．５ｋＷ、１４ｅが０．７ｋＷ、１４ｆが０．７ｋＷの計１．９ｋＷとする。
【００１７】
第１の給電路１６には、商用電力系統１２の側（上流側）から順に、メインブレーカボックス２２と、第１のスイッチ２４と、配電盤２６とが配置され、その下流に電気負荷１４が接続される。メインブレーカボックス２２の内部には、過電流の通電を防止するメインブレーカ２２ａが設けられる。
【００１８】
第１のスイッチ２４は、図示の如く、第１の給電路１６に発電装置２０の接続点１８よりも上流側（商用電力系統１２の側）の位置に配置され、オンされるとき、商用電力系統１２を電気負荷１４と発電装置２０に接続する一方、オフされるとき、電気負荷１４などとの接続を遮断し、発電装置２０から商用電力系統１２への電力供給（逆潮流）を阻止する。
【００１９】
第１の給電路１６は、図示の如く、配電盤２６内において６本の支路１６ａ，１６ｂ，１６ｃ，１６ｄ，１６ｅ，１６ｆに分岐され、図１において上段に図示される３本の支路１６ａ〜１６ｃは、対応するブレーカ２６ａ１，２６ａ２，２６ａ３を介して通常負荷１４ａ，１４ｂ，１４ｃに接続される。
【００２０】
他方、残余の支路１６ｄ〜１６ｆには、第２から第４のスイッチ２６ｂ，２６ｃ，２６ｄが配置されると共に、支路１６ｄ〜１６ｆは第２から第４のスイッチ２６ｂ，２６ｃ，２６ｄの電気負荷１４の側（下流側）において電力線２８によって接続（連結）される。電力線２８、正確には、支路１６ｅと支路１６ｆとを結ぶ電力線２８には、上記した接続点１８を介して発電装置２０が接続される。
【００２１】
支路１６ｄ〜１６ｆであって電力線２８の接続点よりも下流側の位置には、対応するブレーカ２６ａ４，２６ａ５，２６ａ６が配置され、その先端には前記した必要負荷１４ｄ，１４ｅ，１４ｆが接続される。これにより、第２から第４のスイッチ２６ｂ，２６ｃ，２６ｄはオンされるとき、発電装置２０を通常負荷１４ａ，１４ｂ，１４ｃと必要負荷１４ｄ，１４ｅ，１４ｆの両方に接続する一方、オフされるとき、発電装置２０と通常負荷１４ａ，１４ｂ，１４ｃなどとの接続を遮断し、必要負荷１４ｄ，１４ｅ，１４ｆにのみ接続する。
【００２２】
ブレーカ２６ａ１から２６ａ６は、前記したメインブレーカ２２ａと同様、過電流が流れるときオフし、接続される電気負荷１４に過電流が流れるのを防止する。尚、図１に示す如く、メインブレーカボックス２２、第１のスイッチ２４あるいは配電盤２６などは端子を介して接続されるが、端子についての説明は省略する。
【００２３】
発電装置２０は、内燃機関（以下「エンジン」という）３０と、エンジン３０で駆動される発電機３２と、発電機３２に接続されるインバータ３４とを備える。
【００２４】
以下、発電装置２０を構成する各要素について説明すると、エンジン３０はガソリンを燃料とする水冷４サイクルの単気筒ＯＨＶ型の火花点火式のエンジンであり、例えば１６３ｃｃの排気量を備える。エンジン３０の冷却水通路（図示せず）は配管３６に接続され、配管３６はエンジン３０のマフラ４０の内部に案内された後、貯湯槽（熱負荷）４２の内部に案内される。配管３６の内部にはエンジン３０の冷却水が流通させられる。
【００２５】
エンジン３０の駆動によって加熱された冷却水はマフラ４０の内部を通過するとき、排気によってさらに加熱されて貯湯槽４２に送られ、熱交換によってそこに貯留された貯留水の温度を上昇させて温水を生成する。熱交換で冷却された冷却水は、冷却水通路に戻されてエンジン３０を冷却する。
【００２６】
このように、エンジン３０の排熱を貯湯槽（熱負荷）４２に供給して温水などが生成される。尚、貯湯槽４２に貯留された温水は、例えば台所や風呂の給湯設備（図示せず）などの熱負荷に供給される。
【００２７】
発電機３２は３相の交流発電機からなり、所定の回転数で回転するように制御されるエンジン３０でロータ（図示せず）が駆動され、交流電力を出力する。発電機３２の最大発電出力は、例えば２．０ｋＷに設定される。
【００２８】
また、発電機３２はエンジン３０の始動装置（スタータ）としても機能し、ステータコイル（図示せず）は通電されるとき、ロータを回転させ、ロータに連結されているエンジン３０をクランキングして始動する。このように、発電機３２はエンジン３０の始動装置としての機能と交流電力を出力するジェネレータ（オルタネータ）としての機能とを備えた、いわゆるスタータジェネレータからなる。
【００２９】
インバータ３４は、図示の如く、発電機３２から出力された交流を直流に整流する３相ブリッジ回路（ドライブ回路）３４ａと、３相ブリッジ回路３４ａで整流された直流を所定の電圧値まで昇圧する昇圧回路３４ｂと、昇圧された直流を交流、より具体的には商用電力系統１２と同じ周波数の単相３線１００／２００Ｖからなる交流に変換するインバータ回路３４ｃとを備える。インバータ回路３４ｃは、ＩＧＢＴ（Insulated-Gate Bipolar Transistor）からなるスイッチング素子を複数個備え、それらのスイッチング作用を通じて直流を交流に変換する。
【００３０】
インバータ３４はさらに、インバータ回路出力のノイズを除去するチョークコイル３４ｄと、スイッチ３４ｅと、スイッチ３４ｅによるノイズを除去するコモンコイル３４ｆと、コモンコイル出力の電流値を検出する電流センサ（ＣＴ（Current Transformer））３４ｇを備える。
【００３１】
スイッチ３４ｅは、オンされるとき、インバータ回路出力を電気負荷１４に供給する一方、オフされるとき、その出力を遮断（カット）する。また、チョークコイル３４ｄとスイッチ３４ｅの間には第２の電流センサ３４ｈが接続され、そこを流れる交流電力の電流を示す出力を生じる。
【００３２】
インバータ３４は、第２の給電路４４と接続点１８を介して第１の給電路１６の支路１６ｅ，１６ｆを結ぶ電力線２８に接続される。これにより、インバータ３４から出力される交流電力は、第２の給電路４４、接続点１８、電力線２８、第１の給電路１６、第２から第４のスイッチ２６ｂ，２６ｃ，２６ｄおよびブレーカ２６ａ１〜２６ａ３を介して通常負荷１４ａ〜１４ｃに供給されると共に、第２の給電路４４、接続点１８、電力線２８、第１の給電路１６およびブレーカ２６ａ４〜２６ａ６を介して必要負荷１４ｄ〜１４ｆに供給される。尚、インバータ３４と第２の給電路４４の間にはノイズフィルタ４６が介挿され、インバータ３４の出力からノイズを除去する。
【００３３】
コージェネレーション装置１０はさらに、マイクロコンピュータからなる電子制御ユニット（ＥＣＵ（Electronic Control Unit））５０と、第１の給電路１６に接続された電流・電圧センサ５２とを備える。電流・電圧センサ５２は、第１の給電路１６を流れる交流電力の電圧、電流および位相（正弦波）に応じた信号を出力し、ＥＣＵ５０に送出する。
【００３４】
ＥＣＵ５０は電流・電圧センサ５２の出力に基づき、商用電力系統１２が第１の給電路１６を通じて交流電力を供給しているか（正常か）あるいは交流電力を供給していないか（停電しているか）を検出すると共に、交流電力を供給しているときはその位相などを検出する。
【００３５】
ＥＣＵ５０は、商用電力系統１２による交流電力の供給が検出される（停電していない）と共に、発電装置２０を動作させるとき、商用電力系統１２の位相などを検出し、検出値などに基づき、インバータ回路３４ｃなどの動作を制御して発電機３２を同期運転する。さらに、ＥＣＵ５０は検出値などに基づき、第１のスイッチ２４、第２から第４のスイッチ２６ｂ，２６ｃ，２６ｄなどの動作を制御するが、それについては後述する。
【００３６】
コージェネレーション装置１０は、発電装置２０に加え、直流電力を貯留するバッテリ６０と、バッテリ６０に電力線６２を介して接続され、バッテリ６０の出力の昇圧などを行うＤＣ／ＤＣコンバータ部６４とを備える。
【００３７】
バッテリ６０は、ニッケル水素（Ｎｉ−ＭＨ）電池を適宜な個数だけ直列接続してなり、例えば１２Ｖの直流電力を貯留する。ＤＣ／ＤＣコンバータ部６４は、図示しないＩＧＢＴのスイッチング作用によって入力された電力の電圧を所期の電圧値となるまで昇圧・降圧する第１、第２のＤＣ／ＤＣコンバータ６４ａ，６４ｂと、アノード端子がインバータ３４の出力側に、カソード端子が第２のＤＣ／ＤＣコンバータ６４ｂ側に接続されるダイオード６４ｃと、スイッチ６４ｄとを備える。
【００３８】
バッテリ６０の出力は、第１のＤＣ／ＤＣコンバータ６４ａで所定の電圧に昇圧されてスイッチ６４ｄに送られる。スイッチ６４ｄはオンされるとき、第１のＤＣ／ＤＣコンバータ６４ａで昇圧されたバッテリ６０の出力を切替スイッチ（後述）６６に供給する一方、オフされるとき、その出力を遮断（カット）する。
【００３９】
切替スイッチ６６は、３相ブリッジ回路３４ａに接続される第１の端子６６ａと、昇圧回路３４ｂに接続される第２の端子６６ｂの間を切り替え自在に構成され、ＤＣ／ＤＣコンバータ部６４のスイッチ６４ｄがオンされると共に、第１の端子６６ａが選択されるとき（具体的には、エンジン３０を始動させるとき）、バッテリ６０はインバータ３４の３相ブリッジ回路３４ａに接続されて発電機３２を駆動する一方、第２の端子６６ｂが選択されるとき、昇圧回路３４ｂ（別言すれば、インバータ３４のインバータ回路３４ｃ）に接続されて発電機３２の出力と合わせて電気負荷１４に供給される。
【００４０】
尚、インバータ３４から出力された交流電力は、所定の運転状態でダイオード６４ｃによって直流に変換されて第２のＤＣ／ＤＣコンバータ６４ｂに入力され、そこで適宜な電圧に降下させられた後、バッテリ６０に供給されて充電（チャージ）する。
【００４１】
図２は、コージェネレーション装置１０の動作、より具体的にはＥＣＵ５０の動作の内、第１から第４のスイッチ２４，２６ｂ，２６ｃ，２６ｄの動作の制御などを示すフロー・チャートである。
【００４２】
以下説明すると、先ずＳ１０において商用電力系統１２が停電したか否か判断する。これは前記した電流・電圧センサ５２の出力に基づいて判断する。具体的には、電流・電圧センサ５２から所期の交流電力を示す信号が出力されているときは商用電力系統１２が正常と判断する一方、出力されていないときは商用電力系統１２が停電したと判断する。
【００４３】
Ｓ１０で否定されて商用電力系統１２が正常と判断されるときはＳ１２に進み、第１のスイッチ２４をオンして商用電力系統１２を電気負荷１４に接続する。次いでＳ１４に進み、第２から第４のスイッチ２６ｂ，２６ｃ，２６ｄをオンして発電装置２０を電気負荷１４（換言すれば、通常負荷１４ａ，１４ｂ，１４ｃと必要負荷１４ｄ，１４ｅ，１４ｆの両方）に接続する。
【００４４】
これにより、電気負荷１４には商用電力系統１２の電力と発電装置２０の電力の両方が供給される。このとき、ＥＣＵ５０は、発電装置２０を、前述した如く、商用電力系統１２の交流電力の位相と同じ位相の交流電力を出力する同期運転を行うように駆動させ、商用電力系統１２と連系させる。尚、電気負荷１４は発電装置２０の出力で十分なときは発電装置２０の出力で動作すると共に、不足するときは商用電力系統１２の出力を入力して動作する。
【００４５】
一方、Ｓ１０で肯定されて商用電力系統１２が停電と判断されるときはＳ１６に進み、第１のスイッチ２４をオフして発電装置２０から商用電力系統１２への電力供給を遮断し、逆潮流を防止する。
【００４６】
次いでＳ１８に進み、第２から第４のスイッチ２６ｂ，２６ｃ，２６ｄをオフして発電装置２０から通常負荷１４ａ，１４ｂ，１４ｃへの電力供給を遮断する一方、発電装置２０の出力を必要負荷１４ｄ，１４ｅ，１４ｆにのみ供給する。尚、このときの発電装置２０の出力の流れを図１に矢印で示す。
【００４７】
このように、発電機３２から商用電力系統１２への電力供給が遮断された後、第２から第４のスイッチ２６ｂ，２６ｃ，２６ｄをオフさせて発電機３２から複数個の電気負荷の中の少なくとも１個の電気負荷（具体的には３個の通常負荷１４ａ〜１４ｃ）への電力供給を遮断する一方、発電機３２の出力を複数個の電気負荷の中の残余の電気負荷（具体的には３個の必要負荷１４ｄ〜１４ｆ）に供給する。
【００４８】
前述したように、発電機３２の最大発電出力が２．０ｋＷに設定されるのに対して必要負荷１４ｄ〜１４ｆの合計が１．９ｋＷ、即ち、発電機３２の最大発電出力以下に設定されるため、発電装置２０は、停電時であっても必要負荷１４ｄ〜１４ｆに対して確実に電力を継続して供給することができる。
【００４９】
即ち、通常負荷１４ａ〜１４ｃの負荷の合計は２．３ｋＷであるため、停電時に例えば必要負荷１４ｄ〜１４ｆと通常負荷１４ａ〜１４ｃの両方が動作すると、負荷が発電機の最大出力（２．０ｋＷ）を超える可能性がある。そのような状態になると、負荷と発電装置２０の出力がバランスしなくなり、電気負荷１４に対して電力が供給されないおそれがある。そこで、第２から第４のスイッチ２６ｂ，２６ｃ，２６ｄをオフさせ、発電機３２から、最大発電出力以下に設定された必要負荷１４ｄ〜１４ｆに対してのみ電力供給することで、負荷と発電装置２０の出力をバランスさせることができ、よって発電装置２０は必要負荷１４ｄ〜１４ｆに確実に電力を継続して供給することができる。
【００５０】
尚、その後商用電力系統１２が復旧、即ち、停電が終了したときは、図２の処理において、Ｓ１０で否定されてＳ１２，Ｓ１４へ進み、それによって電気負荷１４には商用電力系統１２の電力と発電装置２０の電力の両方が供給される。
【００５１】
上記した如く、この発明の実施例にあっては、商用電力系統１２から複数個の電気負荷（通常負荷１４ａ〜１４ｃ、必要負荷１４ｄ〜１４ｆ）に至る交流電力の給電路（第１の給電路）１６に接続される発電機３２と前記発電機３２を駆動する内燃機関（エンジン）３０とを備えると共に、前記内燃機関３０の排熱を熱負荷（貯湯槽）４２に供給するコージェネレーション装置１０において、前記給電路１６に配置される第１のスイッチ２４、前記給電路１６に前記第１のスイッチ２４よりも下流側の位置に配置される第２のスイッチ（第２から第４のスイッチ）２６ｂ，２６ｃ，２６ｄ、前記商用電力系統１２の停電が検出されたとき、前記第１のスイッチ２４をオフさせて前記発電機３２から前記商用電力系統１２への電力供給を遮断する電力供給遮断手段（ＥＣＵ５０。電流・電圧センサ５２。Ｓ１０，Ｓ１６）、および前記発電機３２から前記商用電力系統１２への電力供給が遮断された後、前記第２のスイッチ２６ｂ，２６ｃ，２６ｄをオフさせて前記発電機３２から前記複数個の電気負荷の中の少なくとも１個の電気負荷（具体的には、３個の通常負荷１４ａ〜１４ｃ）への電力供給を遮断する一方、前記発電機３２の出力を前記複数個の電気負荷の中の残余の電気負荷（具体的には、３個の必要負荷１４ｄ〜１４ｆ）に供給する電力供給手段（ＥＣＵ５０。Ｓ１８）を備える如く構成した。
【００５２】
このように、商用電力系統１２から複数個の電気負荷１４に至る交流電力の給電路１６に接続される発電機３２を備えると共に、その給電路１６に配置される第１のスイッチ２４を備え、商用電力系統１２の停電が検出されたとき、第１のスイッチ２４をオフさせて発電機から商用電力系統１２への電力供給を遮断するように構成したので、商用電力系統１２が停電したとき、コージェネレーション装置１０の出力する電力が商用電力系統１２に流れ込む逆潮流を確実に防止することができる。
【００５３】
また、給電路１６に前記第１のスイッチ２４よりも下流側の位置に配置される第２のスイッチ（第２から第４のスイッチ）２６ｂ，２６ｃ，２６ｄを備えると共に、発電機３２から商用電力系統１２への電力供給が遮断された後、第２のスイッチ（第２から第４のスイッチ）２６ｂ，２６ｃ，２６ｄをオフさせて発電機３２から複数個の電気負荷１４の中の少なくとも１個の電気負荷（１４ａ〜１４ｃ）への電力供給を遮断する一方、発電機３２の出力を複数個の電気負荷の中の残余の電気負荷（１４ｄ〜１４ｆ）に供給するように構成したので、必要負荷１４ｄ〜１４ｆを残余の電気負荷として予め選択しておくことで、停電時であっても必要負荷１４ｄ〜１４ｆを含む残余の電気負荷に対して電力の供給を継続することができる。
【００５４】
また、前記残余の電気負荷（即ち、必要負荷１４ｄ〜１４ｆ）が、前記発電機３２の最大出力（２．０ｋＷ）以下に設定される、具体的には１．９ｋＷに設定されるように構成したので、停電時において、必要負荷１４ｄ〜１４ｆを含む残余の電気負荷に対してより確実に電力の供給を継続することができる。
【００５５】
尚、上記において、商用電力系統１２の停電が検出されないとき、エンジン３０を始動させて発電装置２０を駆動するように構成したが、電気負荷１４や熱負荷（貯湯槽４２）の使用状況に応じて発電装置２０を駆動するように構成しても良い。
【００５６】
また、上記した実施例において商用電力系統１２が出力する交流電力の位相を検出し、検出された位相と同じ位相の交流電力を出力するように発電装置２０を駆動したが、位相のみならず、電圧まで同一となるように発電装置２０を駆動しても良い。
【００５７】
また、上記した実施例において発電装置２０の駆動源（エンジン３０）としてガソリン燃料を使用するエンジンを用いるように構成したが、都市ガス・ＬＰガスを燃料とするガスエンジンなどであっても良い。
【００５８】
また、商用電力系統１２が出力する交流電力を１００／２００Ｖとしたが、商用電力系統が出力する交流電力が１００／２００Ｖを超えるときは、それに相応する電圧を発電装置２０から出力させることはいうまでもない。
【００５９】
また、発電機３２の最大発電出力、電気負荷１４による負荷あるいはエンジン３０の排気量などを具体的な値で示したが、それらは例示であって限定されるものではないこともいうまでもない。
【図面の簡単な説明】
【００６０】
【図１】この発明の実施例に係るコージェネレーション装置を全体的に示すブロック図である。
【図２】図１に示すコージェネレーション装置の動作、より具体的にはＥＣＵの動作の内、第１から第４のスイッチの動作の制御などを示すフロー・チャートである。
【符号の説明】
【００６１】
１０  コージェネレーション装置、１２  商用電力系統、１４ａ〜１４ｃ  通常負荷（電気負荷）、１４ｄ〜１４ｆ  必要負荷（電気負荷）、１６  第１の給電路（給電路）、２４  第１のスイッチ、２６ｂ，２６ｃ，２６ｄ  第２から第４のスイッチ（第２のスイッチ）、３０  エンジン（内燃機関）、３２  発電機、４２  貯湯槽（熱負荷）、５０  ＥＣＵ（電子制御ユニット）、５２  電流・電圧センサ
【図１】
2008206266.tif 000003
【図２】
2008206266.tif 000004